(57)【要約】【課題】床置型空気調和装置において、本体の側面よりも側方に離れた位置からのコールドドラフトを抑える。【解決手段】床置型空気調和装置１１は、本体１２と、送風機２０及び利用側熱交換器１９とを備えている。本体１２は、吸入口１２ｂ、１２ｃ、１２ｄと吹出口１４とを有し、内部に吸入口１２ｂ、１２ｃ、１２ｄと吹出口１４とを連通する空気流路Ｓが形成されている。送風機２０及び利用側熱交換器１９は、空気流路Ｓ内に設けられている。吸入口１２ｂ、１２ｃ、１２ｄは、部屋の壁面Ｗや窓Ｏから床面Ｆに向かう空気を吸い込む位置に設けられている。【選択図】図３
2007322063.tif 000002
【特許請求の範囲】
【請求項１】
吸入口（１２ｂ、１２ｃ、１２ｄ、１２ｅ）と吹出口（１４）とを有し、内部に前記吸入口と前記吹出口とを連通する空気流路（Ｓ）が形成された本体（１２）と、
前記空気流路内に設けられた送風機（２０）及び熱交換器（１９）とを備え、
前記吸入口は、部屋の壁面や窓から床面に向かう空気を吸い込む位置に設けられている、
床置型空気調和装置（１１）。
【請求項２】
吸入口（１２ｂ、１２ｃ、１２ｄ、１２ｅ）と吹出口（１４）とを有し、内部に前記吸入口と前記吹出口とを連通する空気流路（Ｓ）が形成された本体（１２）と、
前記空気流路内に設けられた送風機（２０）及び熱交換器（１９）とを備え、
前記吸入口は、前記本体の上面、前記本体の側面及び前記本体の背面の少なくとも１つに設けられている、
床置型空気調和装置（１１）。
【請求項３】
前記吸入口（１２ｂ、１２ｃ、１２ｄ、１２ｅ）は、前記本体（１２）の背面側部分に設けられている、請求項２に記載の床置型空気調和装置（１１）。
【請求項４】
前記吸入口（１２ｂ、１２ｃ、１２ｄ）は、前記本体（１２）の上面及び前記本体の側面の少なくとも１つに設けられている、請求項３に記載の床置型空気調和装置（１１）。
【請求項５】
前記吸入口（１２ｅ）は、前記本体（１２）の背面に少なくとも設けられている、請求項３に記載の床置型空気調和装置（１１）。
【請求項６】
前記吹出口（１４）は、前記本体（１２）の前面側部分に設けられている、請求項３〜５のいずれかに記載の床置型空気調和装置（１１）。
【請求項７】
前記吹出口（１４）は、前記本体（１２）の前面に設けられている、請求項６に記載の床置型空気調和装置（１１）。
【請求項８】
前記吹出口（１４）は、前記本体（１２）の上面及び前記本体の側面の少なくとも１つに設けられている、請求項６に記載の床置型空気調和装置（１１）。
【請求項９】
前記吸入口（１２ｃ、１２ｄ）は、前記本体（１２）の側面に少なくとも設けられている、請求項２に記載の床置型空気調和装置（１１）。
【請求項１０】
前記吸入口（１２ｃ、１２ｄ）は、前記本体（１２）の下面側部分に設けられている、請求項９に記載の床置型空気調和装置（１１）。
【請求項１１】
前記吹出口（１４）は、前記本体（１２）の上面側部分に設けられている、請求項１０に記載の床置型空気調和装置（１１）。
【請求項１２】
前記吹出口（１４）は、前記本体（１２）の上面に設けられている、請求項１１に記載の床置型空気調和装置（１１）。
【請求項１３】
前記吸入口（１２ｂ）は、前記本体（１２）の上面に少なくとも設けられている、請求項２に記載の床置型空気調和装置（１１）。
【請求項１４】
前記吸入口（１２ｂ、１２ｃ、１２ｄ）は、前記本体（１２）の上面側部分に設けられている、請求項９に記載の床置型空気調和装置（１１）。
【請求項１５】
前記吹出口（１４）は、前記本体（１２）の下面側部分に設けられている、請求項１３又は１４に記載の床置型空気調和装置（１１）。
【請求項１６】
前記吹出口（１４）は、前記本体（１２）の前面に設けられている、請求項１５に記載の床置型空気調和装置（１１）。
【発明の詳細な説明】
【技術分野】
【０００１】
本発明は、床置型空気調和装置、特に、床置型空気調和装置の吸入口や吹出口の配置に関する。
【背景技術】
【０００２】
従来の床置型空気調和装置として、図１に示されるように、本体２の前面２ａの下面側部分に吸入口３が形成されるとともに、本体２の上面２ｂに吹出口４が形成された床置型空気調和装置１がある（例えば、特許文献１参照）。
【特許文献１】特開２００５−４９００４号公報
【発明の開示】
【発明が解決しようとする課題】
【０００３】
このような床置型空気調和装置１は、図１に示されるように、部屋の窓Ｏの下に配置されて、冬季等の低温期において、窓Ｏから床面Ｆに向かう空気（図１中の矢印Ａ１〜Ａ３参照）が部屋内に直接吹き込む現象（以下、コールドドラフトとする）を、暖房運転時に吹出口４から部屋内に吹き出される高温の空気（図１中の矢印Ｂ参照）によって抑えることができる。
【０００４】
しかし、床置型空気調和装置１の本体２の横幅サイズは、窓Ｏの横幅サイズよりも小さいため、吹出口４から部屋内に吹き出される高温の空気（図１中の矢印Ｂ参照）によって抑えることが可能なコールドドラフトは、本体２の両側面２ｃ、２ｄ間の位置からのコールドドラフト（図１注の矢印Ａ１参照）にすぎず、本体２の側面２ｃ、２ｄよりも側方に離れた位置からのコールドドラフト（図１注の矢印Ａ２、Ａ３参照）を抑えることができない。このため、従来の床置型空気調和装置では、コールドドラフトを十分に抑えることができない。
【０００５】
本発明の課題は、床置型空気調和装置において、本体の側面よりも側方に離れた位置からのコールドドラフトを抑えることにある。
【課題を解決するための手段】
【０００６】
第１の発明にかかる床置型空気調和装置は、本体と、送風機及び熱交換器とを備えている。本体は、吸入口と吹出口とを有し、内部に吸入口と吹出口とを連通する空気流路が形成されている。送風機及び熱交換器は、空気流路内に設けられている。吸入口は、部屋の壁面や窓から床面に向かう空気を吸い込む位置に設けられている。
【０００７】
この床置型空気調和装置では、吸入口が部屋の壁面や窓から床面に向かう空気を吸い込む位置に設けられているため、部屋の壁面や窓から床面に向かう低温の空気を本体内に吸い込むことでコールドドラフトを抑えることができる。特に、このような形態にすることによって、本体の側面よりも側方に離れた位置から空気を吸い込むことができるようになるため、本体の側面よりも側方に離れた位置からのコールドドラフトを抑えることができる。
【０００８】
第２の発明にかかる床置型空気調和装置は、本体と、送風機及び熱交換器とを備えている。本体は、吸入口と吹出口とを有し、内部に吸入口と吹出口とを連通する空気流路が形成されている。送風機及び熱交換器は、空気流路内に設けられている。吸入口は、本体の上面、本体の側面及び本体の背面の少なくとも１つに設けられている。
【０００９】
この床置型空気調和装置では、吸入口が本体の上面、本体の側面及び本体の背面の少なくとも１つに設けられているため、部屋の壁面や窓から床面に向かう低温の空気を本体内に吸い込むことでコールドドラフトを抑えることができる。特に、このような形態にすることによって、本体の側面よりも側方に離れた位置から空気を吸い込むことができるようになるため、本体の側面よりも側方に離れた位置からのコールドドラフトを抑えることができる。
【００１０】
第３の発明にかかる床置型空気調和装置は、第２の発明にかかる床置型空気調和装置において、吸入口は、本体の背面側部分に設けられている。
【００１１】
この床置型空気調和装置では、吸入口が本体の背面側部分に設けられているため、部屋の壁面や窓から床面に向かう空気を吸い込みやすくなり、本体の側面よりも側方に離れた位置からのコールドドラフトを抑える効果を向上させることができる。ここで、「本体の背面側部分」とは、本体の背面を含めた本体の前後方向の概ね後半分の部分をいう。
【００１２】
第４の発明にかかる床置型空気調和装置は、第３の発明にかかる床置型空気調和装置において、吸入口は、本体の上面及び本体の側面の少なくとも１つに設けられている。
【００１３】
この床置型空気調和装置では、吸入口が本体の上面及び本体の側面の少なくとも１つに設けられているため、本体が部屋の壁面に接するように配置する場合においても、部屋の壁面際や窓際の空気を吸い込むことができる。
【００１４】
第５の発明にかかる床置型空気調和装置は、第３の発明にかかる床置型空気調和装置において、吸入口は、本体の背面に少なくとも設けられている。
【００１５】
この床置型空気調和装置では、吸入口が本体の背面に少なくとも設けられているため、本体が部屋の壁面から前方に隙間を空けて配置する場合に、部屋の壁面際や窓際の空気を吸い込むことができる。
【００１６】
第６の発明にかかる床置型空気調和装置は、第３〜第５の発明のいずれかにかかる床置型空気調和装置において、吹出口は、本体の前面側部分に設けられている。
【００１７】
この床置型空気調和装置では、吹出口が本体の前面側部分に設けられているため、部屋の壁面や窓から床面に向かう低温の空気の影響を極力受けることなく、高温の空気を部屋内に供給することができる。ここで、「本体の前面側部分」とは、本体の前面を含めた本体の前後方向の概ね前半分の部分をいう。
【００１８】
第７の発明にかかる床置型空気調和装置は、第６の発明にかかる床置型空気調和装置において、吹出口は、本体の前面に設けられている。
【００１９】
この床置型空気調和装置では、吹出口が本体の前面に設けられているため、部屋の壁面や窓から床面に向かう低温の空気の影響をさらに受けにくくできる。
【００２０】
第８の発明にかかる床置型空気調和装置は、第６の発明にかかる床置型空気調和装置において、吹出口は、本体の上面及び本体の側面の少なくとも１つに設けられている。
【００２１】
この床置型空気調和装置では、吹出口が本体の上面及び本体の側面の少なくとも１つに設けられているため、吹出口から部屋内に吹き出される空気によるドラフトを抑えることができる。
【００２２】
第９の発明にかかる床置型空気調和装置は、第２の発明にかかる床置型空気調和装置において、吸入口は、本体の側面に少なくとも設けられている。
【００２３】
この床置型空気調和装置では、吹出口が本体の側面に設けられているため、本体の側面よりも側方に離れた位置から空気をさらに吸い込みやすくできる。
【００２４】
第１０の発明にかかる床置型空気調和装置は、第９の発明にかかる床置型空気調和装置において、本体の下面側部分に設けられている。
【００２５】
この床置型空気調和装置では、吸入口が本体の下面側部分に設けられているため、部屋の床面の壁面際部分を漂う空気も吸い込むことができるようになり、部屋内の快適性を向上させることができる。ここで、「本体の下面側部分」とは、本体の下面を含めた本体の上下方向の概ね下半分の部分をいう。
【００２６】
第１１の発明にかかる床置型空気調和装置は、第１０の発明にかかる床置型空気調和装置において、吹出口は、本体の上面側部分に設けられている。
【００２７】
この床置型空気調和装置では、吹出口が本体の上面側部分に設けられているため、吹出口から部屋内に吹き出される空気によるドラフトを抑えることができる。ここで、「本体の上面側部分」とは、本体の上面を含めた本体の上下方向の概ね上半分の部分をいう。
【００２８】
第１２の発明にかかる床置型空気調和装置は、第１１の発明にかかる床置型空気調和装置において、吹出口は、本体の上面に設けられている。
【００２９】
この床置型空気調和装置では、吹出口が本体の上面に設けられているため、吹出口から部屋内に吹き出される空気によるドラフトをさらに抑えることができる。
【００３０】
第１３の発明にかかる床置型空気調和装置は、第２の発明にかかる床置型空気調和装置において、吸入口は、本体の上面に少なくとも設けられている。
【００３１】
この床置型空気調和装置では、吸入口が本体の上面に設けられているため、本体の両側面間の位置から空気を吸い込みやすくできる。
【００３２】
第１４の発明にかかる床置型空気調和装置は、第９の発明にかかる床置型空気調和装置において、吸入口は、本体の上面側部分に設けられている。
【００３３】
この床置型空気調和装置では、吸入口が本体の上面側部分に設けられているため、部屋の壁面や窓から床面に向かう低温の空気が床面に達する前に本体内に吸い込むことができるようになり、部屋の床面の壁面際部分を空気が漂うような事態が生じるのを極力抑えることができる。
【００３４】
第１５の発明にかかる床置型空気調和装置は、第１３又は第１４の発明にかかる床置型空気調和装置において、吹出口は、本体の下面側部分に設けられている。
【００３５】
この床置型空気調和装置では、吹出口が本体の下面側部分に設けられているため、部屋の壁面や窓から床面に向かう低温の空気の影響を極力受けることなく、高温の空気を部屋内に供給することができる。
【００３６】
第１６の発明にかかる床置型空気調和装置は、第１５の発明にかかる床置型空気調和装置において、吹出口は、本体の前面に設けられている。
【００３７】
この床置型空気調和装置では、吹出口が本体の前面に設けられているため、部屋の壁面や窓から床面に向かう低温の空気の影響をさらに受けにくくできる。
【発明の効果】
【００３８】
以上の説明に述べたように、本発明によれば、以下の効果が得られる。
【００３９】
第１の発明では、本体の側面よりも側方に離れた位置からのコールドドラフトを抑えることができる。
【００４０】
第２の発明では、本体の側面よりも側方に離れた位置からのコールドドラフトを抑えることができる。
【００４１】
第３の発明では、本体の側面よりも側方に離れた位置からのコールドドラフトを抑える効果を向上させることができる。
【００４２】
第４の発明では、本体が部屋の壁面に接するように配置する場合においても、部屋の壁面際や窓際の空気を吸い込むことができる。
【００４３】
第５の発明では、本体が部屋の壁面から前方に隙間を空けて配置する場合に、部屋の壁面際や窓際の空気を吸い込むことができる。
【００４４】
第６の発明では、部屋の壁面や窓から床面に向かう低温の空気の影響を極力受けることなく、高温の空気を部屋内に供給することができる。
【００４５】
第７の発明では、部屋の壁面や窓から床面に向かう低温の空気の影響をさらに受けにくくできる。
【００４６】
第８の発明では、吹出口から部屋内に吹き出される空気によるドラフトを抑えることができる。
【００４７】
第９の発明では、本体の側面よりも側方に離れた位置から空気をさらに吸い込みやすくできる。
【００４８】
第１０の発明では、部屋の床面の壁面際部分を漂う空気も吸い込むことができるようになり、部屋内の快適性を向上させることができる。
【００４９】
第１１の発明では、吹出口から部屋内に吹き出される空気によるドラフトを抑えることができる。
【００５０】
第１２の発明では、吹出口から部屋内に吹き出される空気によるドラフトをさらに抑えることができる。
【００５１】
第１３の発明では、本体の両側面間の位置から空気を吸い込みやすくできる。
【００５２】
第１４の発明では、部屋の壁面や窓から床面に向かう低温の空気が床面に達する前に本体内に吸い込むことができるようになり、部屋の床面の壁面際部分を空気が漂うような事態が生じるのを極力抑えることができる。
【００５３】
第１５の発明では、部屋の壁面や窓から床面に向かう低温の空気の影響を極力受けることなく、高温の空気を部屋内に供給することができる。
【００５４】
第１６の発明では、部屋の壁面や窓から床面に向かう低温の空気の影響をさらに受けにくくできる。
【発明を実施するための最良の形態】
【００５５】
以下、図面に基づいて、本発明にかかる床置型空気調和装置の実施形態について説明する。
【００５６】
（１）冷媒回路
図２は、本発明の一実施形態にかかる床置型空気調和装置１１が採用された冷媒回路１０を示す。この冷媒回路１０は、冷媒として二酸化炭素が使用されており、圧縮機１５、四路切換弁１６、熱源側熱交換器１７、膨張機構１８及び利用側熱交換器１９を、冷媒配管を介して接続することによって構成されている。図２において、実線で描かれた矢印と破線で描かれた矢印は冷媒の流れ方向を示しており、冷媒回路１０は、四路切換弁１６の冷媒の流れ方向を切り換えることによって、暖房運転（図１中の破線で描かれた矢印を参照）と冷房運転（図１中の実線で描かれた矢印を参照）を切り換えることができる。
【００５７】
このため、冷房運転時においては、熱源側熱交換器１７が圧縮機１６によって臨界圧力を超える圧力まで圧縮された冷媒を冷却するための冷却器となり、利用側熱交換器１９が膨張機構１８によって減圧された冷媒を加熱・蒸発させるための蒸発器となる。一方、暖房運転時においては、利用側熱交換器１９が圧縮機１６によって臨界圧力を超える圧力まで圧縮された冷媒を冷却するための冷却器となり、熱源側熱交換器１７が膨張機構１８によって減圧された冷媒を加熱・蒸発させるための蒸発器となる。
【００５８】
（２）床置型空気調和装置
図３は、本発明の一実施形態にかかる床置型空気調和装置１１の外観を示す斜視図である。図４は、本発明の一実施形態にかかる床置型空気調和装置１１の概略縦断面図である。図５は、利用側熱交換器１９の概略構造（プレートフィン１９ａの長手方向中間部分及び伝熱管１９ｂの長手方向中間部分の図示を省略）を示す斜視図である。床置型空気調和装置１１は、主として、略直方体形状の本体１２を備えており、部屋の壁面Ｗに沿うように、かつ、窓Ｏの下に配置されている。尚、以下の説明において、「本体１２の背面側部分」とは、本体１２の背面１２ｅを含めた本体１２の前後方向の概ね後半分の部分をいい、「本体１２の前面側部分」とは、本体１２の前面１２ａを含めた本体１２の前後方向の概ね前半分の部分をいい、「本体１２の上面側部分」とは、本体１２の上面１２ｂを含めた本体１２の上下方向の概ね上半分の部分をいい、「本体１２の下面側部分」とは、本体１２の下面１２ｆを含めた本体１２の上下方向の概ね下半分の部分をいう。
【００５９】
本体１２の上面１２ｂには、吸入口１３ｂが形成されている。この吸入口１３ｂは、上面１２ｂの背面側部分に位置しており、上面１２ｂの左縁付近から右縁付近まで延びている。本体１２の左側面１２ｃには、吸入口１３ｃが形成されている。この吸入口１３ｃは、左側面１２ｃの背面側部分に位置しており、左側面１２ｃの上縁付近から下縁付近まで延びている。本体１２の右側面１２ｄには、吸入口１３ｄが形成されている。この吸入口１３ｄは、右側面１２ｄの背面側部分に位置しており、右側面１２ｄの上縁付近から下縁付近まで延びている。
【００６０】
本体１２の前面１２ａには、吹出口１４が形成されている。この吹出口１４は、前面１２ａの概ね全面にわたって形成されている。
【００６１】
本体１２の内部には、吸入口１３ｂ、１３ｃ、１３ｄと吹出口１４とを連通する空気流路Ｓが形成されている。この空気流路Ｓ内には、利用側熱交換器１９及び送風機２０が設けられている。この送風機２０は、本実施形態において、軸流ファンであり、利用側熱交換器１９の下流側に配置されている。利用側熱交換器１９は、本実施形態において、クロスフィンチューブ型の熱交換器であり、送風機２０の上流側に配置されている。より具体的には、利用側熱交換器１９は、空気流路Ｓ内の空気の流れ方向（図５中の矢印Ｅ参照）に沿って間隔を空けて配置された複数枚のプレートフィン１９ａと、これらのプレートフィン１９ａをその板厚方向に貫通するように設けられた複数の伝熱管１９ｂと、伝熱管１９ｂの長手方向端同士を接続する複数のＵ字管１９ｃとを有している。これらの伝熱管１９ｂは、空気の流れ方向に複数列（ここでは２列、さらに多列であることが望ましい）並んで配置されている。そして、冷媒は、この利用側熱交換器１９の空気の流れ方向の下流側に位置する伝熱管１９ｂから流入した後（図５中の矢印Ｇ参照）、伝熱管１９ｂ及びＵ字管１９ｃを順次通過しながら空気の流れ方向の上流側に向かい、最終的に、最も空気の流れ方向の上流側に位置する伝熱管１９ｂから流出するようになっている（図５中の矢印Ｈ参照）。このように、本実施形態における利用側熱交換器１９は、冷媒が空気流路Ｓ内における空気の流れ方向に対して概ね対向流になるように構成されている。
【００６２】
（３）床置型空気調和装置の動作及び特徴
上述のような構成を有する床置型空気調和装置１１の暖房運転を開始すると、部屋内の空気は、送風機２０の運転によって吸入口１３ｂ、１３ｃ、１３ｄから空気流路Ｓ内に吸い込まれる。
【００６３】
ここで、吸入口１３ｂ、１３ｃ、１３ｄは、本体１２の上面１２ｂ及び側面１２ｃ、１２ｄに設けられているため、すなわち、部屋の壁面Ｗや窓Ｏから床面Ｆに向かう空気（図３中の矢印Ａ１、Ａ２、Ａ３参照）を吸い込む位置に設けられているため、部屋の壁面Ｗや窓Ｏから床面Ｆに向かう低温の空気を本体１２内に吸い込むことでコールドドラフトを抑えることができるようになっている。特に、このような形態にすることによって、本体１２の側面１２ｃ、１２ｄよりも側方に離れた位置から空気を吸い込むことができるようになるため（図３中の矢印Ａ２、Ａ３参照）、本体１２の側面１２ｃ、１２ｄよりも側方に離れた位置からのコールドドラフトを抑えることができるようになっている。しかも、本実施形態のように、本体１２の上面１２ｂに吸入口１３ｂを設けることによって、本体１２の両側面１２ｃ、１２ｄ間の位置から空気を吸い込みやすくなっており（図３中の矢印Ａ１参照）、本体１２の側面１２ｃ、１２ｄに吸入口１３ｃ、１３ｄを設けることによって、本体１２の側面１２ｃ、１２ｄよりも側方に離れた位置から空気をさらに吸い込みやすくなっている（図３中の矢印Ａ２、Ａ３参照）。また、吸入口１３ｂ、１３ｃ、１３ｄは、本体１２の背面側部分に設けられているため、部屋の壁面Ｗや窓Ｏから床面Ｆに向かう空気（図３中の矢印Ａ１、Ａ２、Ａ３参照）を吸い込みやすくなり、本体１２の側面１２ｃ、１２ｄよりも側方に離れた位置からのコールドドラフト（図３中の矢印Ａ２、Ａ３参照）を抑える効果を向上させることができるとともに、本体１２が部屋の壁面Ｗに接するように配置する場合においても、部屋の壁面際や窓際の空気を吸い込むことができるようになっている。
【００６４】
そして、吸入口１３ｂ、１３ｃ、１３ｄを通じて空気流路Ｓ内に吸い込まれた空気は、利用側熱交換器１９を通過する。このとき、利用側熱交換器１９内（具体的には、伝熱管１９ｂ、Ｕ字管１９ｃ内）には、圧縮機１５によって臨界圧力を超える圧力まで圧縮された冷媒が流れているため、利用側熱交換器１９を通過する空気は、利用側熱交換器１９内を流れる冷媒を冷却するとともに加熱される。
【００６５】
ここで、利用側熱交換器１９は、冷媒が空気流路Ｓ内における空気の流れ方向に対して概ね対向流になるように構成されているため、利用側熱交換器１９を通過する空気は、空気の流れ方向の下流側に近づくにつれてより高温の冷媒によって加熱されることになる。しかも、上述のように、吸入口１３ｂ、１３ｃ、１３ｄを通じて本体１２内に吸い込まれる空気には、部屋の壁面Ｗや窓Ｏから床面Ｆに向かう低温の空気（図３中の矢印Ａ１、Ａ２、Ａ３参照）が含まれることになることから、利用側熱交換器１９を流れる冷媒も本体１２内に吸い込まれる空気の温度に応じてより低温になるまで冷却されることになるため、冷媒回路１０の冷凍サイクルのＣＯＰも向上することになる。
【００６６】
そして、利用側熱交換器１９において加熱された空気は、吹出口１４を通じて部屋内に吹き出される（図３中の矢印Ｂ参照）。
【００６７】
ここで、吹出口１４は、本体１２の前面側部分に設けられているため、部屋の壁面Ｗや窓Ｏから床面Ｆに向かう低温の空気の影響を極力受けることなく、高温の空気を部屋内に供給することができるようになり、部屋内の快適な暖房を実現することができる。特に、本実施形態のように、吹出口１４を本体１２の前面１２ａに設けることによって、部屋の壁面Ｗや窓Ｏから床面Ｆに向かう低温の空気の影響をさらに受けにくくなっている。
【００６８】
（４）変形例１
上述の実施形態（特に、図３及び図４参照）では、吹出口１４が前面１２ａに設けられているが、その代わりに、図６及び図７に示されるように、上面１２ｂ（より具体的には、上面１２ｂの前面側部分）に吹出口１４を設けるようにしてもよい。ここで、本変形例においては、上面１２ｂに吹出口１４を設けることに起因して、吸入口１３ｂ、１３ｃ、１３ｄから前方に向かうにつれて上方に向くように空気流路Ｓが形成されることになるため、利用側熱交換器１９を本体１２内に傾斜するように配置するとともに、送風機２０として遠心ファンを採用するようにしている。尚、図６は、本変形例にかかる床置型空気調和装置１１の外観を示す斜視図である。図７は、本変形例にかかる床置型空気調和装置１１の概略縦断面図である。
【００６９】
そして、本変形例においては、上述の実施形態と同様の作用効果が得られるとともに、吹出口１４が本体１２の上面１２ｂに設けられているため、吹出口１４から部屋内に吹き出される空気によるドラフトを抑えることができる。ここで、吹出口１４から吹き出される空気は、斜め前方に向かって吹き出されるようになっており、その吹き出し角度θは、水平面に対して４５度から９０度の角度範囲内に、好ましくは、６０度から８０度の角度範囲内に吹き出されるようになっている。
【００７０】
また、本変形例においては、吹出口１４が本体１２の上面１２ｂに設けられているため、部屋の壁面Ｗや窓Ｏから床面Ｆに向かうコールドドラフト（図６中の矢印Ａ１、Ａ２、Ａ３参照）のうち本体１２の両側面１２ｃ、１２ｄ間の位置からのコールドドラフト（図６中の矢印Ａ１参照）については、吹出口１４から吹き出される高温の空気（図６中の矢印Ｂ）によって抑えることができ、しかも、本体１２の側面１２ｃ、１２ｄよりも側方に離れた位置からのコールドドラフト（図６中の矢印Ａ２、Ａ３参照）については、本体１２の側面１２ｃ、１２ｄに設けられた吸入口１３ｃ、１３ｄから本体１２の側面１２ｃ、１２ｄよりも側方に離れた位置を流れる空気を本体１２内に吸い込むことによって抑えることができるため、本体１２の上面１２ｂに設けられている吸入口１３ｂを省略してもよい。
【００７１】
尚、本変形例においては、吹出口１４を本体１２の上面１２ｂに設けるようにしているが、ここでは図示しないが、吹出口１４を本体１２の側面１２ｃ、１２ｄに設けるようにしてもよい。この場合においても、吹出口１４から部屋内に吹き出される空気によるドラフトを抑えることができる。
【００７２】
（５）変形例２
上述の実施形態（特に、図３及び図４参照）では、吸入口１３ｂが本体１２の上面１２ｂの背面側部分のみに設けられており、吸入口１３ｃ、１３ｄが本体１２の側面１２ｃ、１２ｄの背面側部分のみに設けられているが、図８に示されるように、吸入口１３ｂを本体１２の上面１２ｂの概ね全面にわたって設け、吸入口１３ｃ、１３ｄを本体１２の側面１２ｃ、１２ｄの概ね全面にわたって設けるようにしてもよい。尚、図８は、本変形例にかかる床置型空気調和装置１１の外観を示す斜視図である。
【００７３】
また、上述の変形例１のように、吹出口１４が本体１２の上面１２ｂに設けられている場合においても、図９に示されるように、吸入口１３ｃ、１３ｄをそれぞれ本体１２の側面１２ｃ、１２ｄの概ね全面にわたって設け、吸入口１３ｂを省略するようにしてもよい。尚、図９は、本変形例にかかる床置型空気調和装置１１の外観を示す斜視図である。
【００７４】
そして、本変形例においても、上述の実施形態や変形例１と同様の作用効果が得られる。
【００７５】
（６）変形例３
上述の実施形態及びその変形例（特に、図３、図４及び図６〜図９参照）では、吸入口が本体１２の上面１２ｂや側面１２ｃ、１２ｄに設けられているが、図１０及び図１１に示されるように、あるいは、図１２及び図１３に示されるように、本体１２の背面１２ｅに吸入口１３ｅを設けるようにしてもよい。ここで、吸入口１３ｅは、本体１２の背面１２ｅの左縁付近から右縁付近まで延びている（より具体的には、本体１２の背面１２ｅの概ね全面にわたって形成されている）。尚、図１０は、本変形例にかかる床置型空気調和装置１１の外観を示す斜視図である。図１１は、本変形例にかかる床置型空気調和装置１１の概略縦断面図である。図１２は、本変形例にかかる床置型空気調和装置１１の外観を示す斜視図である。図１３は、本変形例にかかる床置型空気調和装置１１の概略縦断面図である。
【００７６】
そして、本変形例においては、部屋の壁面Ｗや窓Ｏから床面Ｆに向かう空気（図１０及び図１２中の矢印Ａ１、Ａ２、Ａ３参照）のすべてを吸入口１３ｅから本体１２内に吸い込むことができるため、上述の実施形態及び変形例１、２と同様の作用効果が得られるとともに、本体１２が部屋の壁面Ｗから前方に隙間を空けて配置する場合に、部屋の壁面際や窓際の空気を吸い込むことができる。
【００７７】
尚、ここでは図示しないが、本変形例において、本体１２の背面１２ｅに吸入口１３ｅを設けるだけでなく、上述の実施形態及び変形例１、２と同様に、本体１２の側面１２ｃ、１２ｄにも吸入口を設けることで、本体１２の側面１２ｃ、１２ｄよりも側方に離れた位置から空気をさらに吸い込みやすくして、本体１２の側面１２ｃ、１２ｄよりも側方に離れた位置からのコールドドラフト（図１０及び図１２中の矢印Ａ２、Ａ３参照）を抑える効果を向上させるようにしてもよい。
【００７８】
（７）変形例４
上述の実施形態及び変形例１〜３（特に、図３、図４及び図６〜図１３参照）では、
本体１２の少なくとも背面側部分に吸入口（具体的には、吸入口１３ｂ、１３ｃ、１３ｄ、１３ｅ）を設けるとともに、本体１２の前面側部分に吹出口（具体的には、吹出口１４）を設けるようにしているが、図１４及び図１５に示されるように、本体１２の上面側部分に吸入口を設けるとともに、本体１２の下面側部分に吹出口を設けるようにしてもよい。尚、図１４は、本変形例にかかる床置型空気調和装置１１の外観を示す斜視図である。図１５は、本変形例にかかる床置型空気調和装置１１の概略縦断面図である。
【００７９】
より具体的に本変形例の形態を説明すると、本体１２の上面１２ｂには、吸入口１３ｂが形成されている。この吸入口１３ｂは、上面１２ｂの背面側部分に少なくとも位置しており、上面１２ｂの左縁付近から右縁付近まで延びている（より具体的には、本体１２の上面１２ｂの概ね全面にわたって形成されている）。本体１２の左側面１２ｃの上面側部分には、吸入口１３ｃが形成されている。この吸入口１３ｃは、少なくとも左側面１２ｃの背面側部分に位置しており、左側面１２ｃの前縁付近から後縁付近まで延びている。本体１２の右側面１２ｄの上面側部分には、吸入口１３ｄが形成されている。この吸入口１３ｄは、少なくとも右側面１２ｄの背面側部分に位置しており、右側面１２ｄの前縁付近から後縁付近まで延びている。
【００８０】
本体１２の前面１２ａの下面側部分には、吹出口１４が形成されている。
【００８１】
本体１２の内部には、本体１２の上面側部分に吸入口１３ｂ、１３ｃ、１３ｄを設け、かつ、本体１２の下面側部分に吹出口１４を設けることに起因して、吸入口１３ｂ、１３ｃ、１３ｄから下方に向かう空気流路Ｓが形成されることになるため、利用側熱交換器１９を本体１２内の上下方向中間部分に配置するとともに、送風機２０として遠心ファンを採用するようにしている。しかも、上述の実施形態及び変形例１〜３と同様に、利用側熱交換器１９は、冷媒が空気流路Ｓ内における空気の流れ方向に対して概ね対向流になるように構成されている。
【００８２】
そして、本変形例においては、上述の実施形態と同様の作用効果が得られるとともに、吸入口１３ｂ、１３ｃ、１３ｄが本体１２の上面側部分に設けられているため、部屋の壁面Ｗや窓Ｏから床面Ｆに向かう低温の空気が床面Ｆに達する前に本体１２内に吸い込むことができるようになり、部屋の床面Ｆの壁面際部分を空気が漂うような事態が生じるのを極力抑えることができる。また、吹出口１４が本体１２の下面側部分に設けられているため、部屋の壁面Ｗや窓Ｏから床面Ｆに向かう低温の空気の影響を極力受けることなく、高温の空気を部屋内に供給することができる。しかも、吹出口１４が本体１２の下面側部分（本変形例では、本体１２の前面１２ａ）に設けられているため、部屋の壁面Ｗや窓Ｏから床面Ｆに向かう低温の空気の影響を極力受けることなく、高温の空気を部屋内に供給することができる。
【００８３】
（８）変形例５
上述の実施形態及びその変形例（特に、図３、図４及び図６〜図１３参照）では、
本体１２の背面側部分に吸入口（具体的には、吸入口１３ｂ、１３ｃ、１３ｄ、１３ｅ）を設けるとともに、本体１２の前面側部分に吹出口（具体的には、吹出口１４）を設けるようにしているが、図１６及び図１７に示されるように、本体１２の下面側部分に吸入口を設けるとともに、本体１２の上面側部分に吹出口を設けるようにしてもよい。尚、図１６は、本変形例にかかる床置型空気調和装置１１の外観を示す斜視図である。図１７は、本変形例にかかる床置型空気調和装置１１の概略縦断面図である。
【００８４】
より具体的に本変形例の形態を説明すると、本体１２の前面１２ａの下面側部分には、吸入口１３ａが形成されている。この吸入口１３ａは、前面１２ａの左縁付近から右縁付近まで延びている。本体１２の左側面１２ｃの下面側部分には、吸入口１３ｃが形成されている。この吸入口１３ｃは、少なくとも左側面１２ｃの背面側部分に位置しており、左側面１２ｃの前縁付近から後縁付近まで延びている。本体１２の右側面１２ｄの下面側部分には、吸入口１３ｄが形成されている。この吸入口１３ｄは、少なくとも右側面１２ｄの背面側部分に位置しており、右側面１２ｄの前縁付近から後縁付近まで延びている。
【００８５】
本体１２の上面１２ｂの前面側部分には、吹出口１４が形成されている。この吹出口１４は、上面１２ｂの左縁付近から右縁付近まで延びている。
【００８６】
本体１２の内部には、本体１２の下面側部分に吸入口１３ａ、１３ｃ、１３ｄを設け、かつ、本体１２の下面側部分に吹出口１４を設けることに起因して、吸入口１３ａ、１３ｃ、１３ｄから上方に向かう空気流路Ｓが形成されることになるため、利用側熱交換器１９を本体１２内の上下方向中間部分に配置するとともに、送風機２０として遠心ファンを採用するようにしている。しかも、上述の実施形態及び変形例１〜４と同様に、利用側熱交換器１９は、冷媒が空気流路Ｓ内における空気の流れ方向に対して概ね対向流になるように構成されている。
【００８７】
そして、本変形例においては、上述の実施形態と同様の作用効果が得られるとともに、吸入口１３ａ、１３ｃ、１３ｄが本体１２の下面側部分に設けられているため、部屋の床面Ｆの壁面際部分を漂う空気も吸い込むことができるようになり、部屋内の快適性を向上させることができる。しかも、吹出口１４が本体１２の上面側部分（本変形例では、本体１２の上面１２ｂ）に設けられているため、吹出口１４から部屋内に吹き出される空気によるドラフトを抑えることができる。ここで、吹出口１４から吹き出される空気は、上述の変形例と同様に、斜め前方に向かって吹き出されるようになっており、その吹き出し角度θは、水平面に対して４５度から９０度の角度範囲内に、好ましくは、６０度から８０度の角度範囲内に吹き出されるようになっている。
【００８８】
（９）他の実施形態
以上、本発明の実施形態及びその変形例について図面に基づいて説明したが、具体的な構成は、これらの実施形態及びその変形例に限られるものではなく、発明の要旨を逸脱しない範囲で変更可能である。
【産業上の利用可能性】
【００８９】
本発明を利用すれば、床置型空気調和装置において、本体の側面よりも側方に離れた位置からのコールドドラフトを抑えることができる。
【図面の簡単な説明】
【００９０】
【図１】従来の床置型空気調和装置の外観を示す斜視図である。
【図２】本発明の一実施形態にかかる床置型空気調和装置が採用された冷媒回路図である。
【図３】本発明の一実施形態にかかる床置型空気調和装置の外観を示す斜視図である。
【図４】本発明の一実施形態にかかる床置型空気調和装置の概略縦断面図である。
【図５】利用側熱交換器の概略構造（プレートフィンの長手方向中間部分及び伝熱管の長手方向中間部分の図示を省略）を示す斜視図である。
【図６】本発明の変形例１にかかる床置型空気調和装置の外観を示す斜視図である。
【図７】本発明の変形例１にかかる床置型空気調和装置の概略縦断面図である。
【図８】本発明の変形例２にかかる床置型空気調和装置の外観を示す斜視図である。
【図９】本発明の変形例２にかかる床置型空気調和装置の外観を示す斜視図である。
【図１０】本発明の変形例３にかかる床置型空気調和装置の外観を示す斜視図である。
【図１１】本発明の変形例３にかかる床置型空気調和装置の概略縦断面図である。
【図１２】本発明の変形例３にかかる床置型空気調和装置の外観を示す斜視図である。
【図１３】本発明の変形例３にかかる床置型空気調和装置の概略縦断面図である。
【図１４】本発明の変形例４にかかる床置型空気調和装置の外観を示す斜視図である。
【図１５】本発明の変形例４にかかる床置型空気調和装置１１の概略縦断面図である。
【図１６】本発明の変形例５にかかる床置型空気調和装置の外観を示す斜視図である。
【図１７】本発明の変形例５にかかる床置型空気調和装置１１の概略縦断面図である。
【符号の説明】
【００９１】
１１  床置型空気調和装置
１２  本体
１３ａ、１３ｂ、１３ｃ、１３ｄ、１３ｅ  吸入口
１４  吹出口
１９  利用側熱交換器（熱交換器）
２０  送風機
【図１】
2007322063.tif 000003
【図２】
2007322063.tif 000004
【図３】
2007322063.tif 000005
【図４】
2007322063.tif 000006
【図５】
2007322063.tif 000007
【図６】
2007322063.tif 000008
【図７】
2007322063.tif 000009
【図８】
2007322063.tif 000010
【図９】
2007322063.tif 000011
【図１０】
2007322063.tif 000012
【図１１】
2007322063.tif 000013
【図１２】
2007322063.tif 000014
【図１３】
2007322063.tif 000015
【図１４】
2007322063.tif 000016
【図１５】
2007322063.tif 000017
【図１６】
2007322063.tif 000018
【図１７】
2007322063.tif 000019